(57)【要約】      （修正有）【課題】画像形成後の用紙に後処理として形成された係合部を基準に良好な紙揃えを行う。【解決手段】画像形成後に後処理として係合部が形成され排出された用紙Ｐを受け入れ、係合部を基準に用紙Ｐを揃える用紙揃え装置において、用紙Ｐの排紙位置に設けられ、用紙Ｐを積載する載置面１１ｂを有する排紙台１１と、排紙台１１に設けられ、載置面１１ｂ側に突出して排紙される用紙Ｐの係合部と係合するよう、当該用紙Ｐの排紙位置に応じた受入角度の調整及び紙揃えに必要な振動周波数による振動付与が可能な整合ピン１４ａを備えた用紙整合機構１４と、排紙される用紙Ｐを識別する用紙情報に合わせて整合ピン１４ａにおける受入角度及び振動周波数を制御する制御部とを備えた。【選択図】図７
2012131619.tif 000002
【特許請求の範囲】
【請求項１】
画像形成後に後処理として係合部が形成され排出された用紙を受け入れ、前記係合部を基準に用紙を揃える用紙揃え装置において、
前記用紙の排紙位置に設けられ、前記用紙を載置する載置面を有する排紙台と、
該排紙台に設けられ、前記載置面側に突出して前記排紙される用紙の前記係合部と係合するよう、当該用紙の排紙位置に応じた受入角度の調整及び紙揃えに必要な振動周波数による振動付与が可能な整合ピンを備えた用紙整合機構と、
前記排紙される用紙を識別する用紙情報に合わせて前記整合ピンの受入角度及び振動周波数を制御する制御部と、
を備えたことを特徴とする用紙揃え装置。
【請求項２】
前記用紙の用紙サイズ、用紙の厚さを含む用紙情報と、前記整合ピンにおける前記用紙の排紙位置に応じた受入角度及び前記振動周波数とを関連付けした状態でテーブル化された整合ピン制御テーブルを記憶する記憶部を備え、
前記制御部は、前記排紙される用紙の用紙情報と、前記記憶部に記憶された整合ピン制御テーブルとを照らし合わせ、当該排紙される用紙に応じた最適な受入角度及び振動周波数で前記整合ピンを制御することを特徴とする請求項１記載の用紙揃え装置。
【発明の詳細な説明】
【技術分野】
【０００１】
本発明は、孔版印刷装置、インクジェットプリンタ、複写機等の各種画像形成装置若しくは用紙後処理装置に設けられ、画像形成後に後処理され排紙された用紙の紙揃えを行う用紙揃え装置に関するものである。
【背景技術】
【０００２】
従来、例えば孔版印刷装置、インクジェットプリンタ、レーザプリンタ等の各種印刷機、複写機等の画像形成装置から排紙される画像形成後の用紙に対し、後処理の一つであるパンチ（穴あけ）処理を行う用紙後処理装置が知られている。
【０００３】
そして、穴あけ処理された用紙は、その後段で行われる綴じ処理やユーザによるバインダー綴じが容易に行えるよう、穴あけ処理された用紙を排紙台に一旦積載し、排紙台上を用紙幅方向に対して摺動可能に設けられた一対の整合板と用紙先端若しくは後端位置を規制する規制板によるジョガー動作を行って用紙端が整然と揃えられている。
【０００４】
また、用紙揃えにおける他の実施例としては、例えば下記特許文献１に開示されるような画像形成装置から出力された用紙のパンチ穴に対してステイプル綴じする直前にピンを挿入してパンチ穴基準でステイプル綴じ次の用紙揃えを行う装置、また下記特許文献２に開示されるようなパンチ穴揃えピンの用紙貫通を検出するセンサを設け、ピン起動から用紙貫通までの時間が基準時間を越えたとき、パンチ穴揃えピンを初期位置へ戻して貫通動作を再試行させる制御手段を設け、所定回数の貫通動作を行ってもピンが用紙を貫通しない場合は、ピンを初期位置へ戻してエラー表示を行う装置が公知である。
【先行技術文献】
【特許文献】
【０００５】
【特許文献１】特開２００３−１６０２７３号公報
【特許文献２】特開２００６−５２０７１号公報
【発明の概要】
【発明が解決しようとする課題】
【０００６】
しかしながら、従来のジョガー動作により用紙整合を行う場合、例えば坪量の少ない薄紙を用紙として使用すると、紙の剛性（復元力）が弱いため整合板によるジョガー動作では正確に整合することが難しく、さらにジョガー動作時に紙端が傷付いたり紙折れしたりする虞れがあった。
【０００７】
また、特許文献１、２に開示される用紙後処理装置では、印刷ジョブ終了後に用紙端を揃えた状態で、さらに穿孔された穴にピンを貫通させて用紙の紙揃え精度を向上させているが、やはり用紙の種類によってジョガー動作による整合ができず、さらに用紙が整合していない状態でピンを貫通させようとすると、うまく貫通せずに穴を傷付けてしまうという問題があった。
【０００８】
そこで、本発明は上記問題点に鑑みてなされたものであり、穴あけ処理後の用紙を傷付けることなく精度良く用紙の紙揃えを行うことができる用紙揃え装置を提供することを目的とするものである。
【課題を解決するための手段】
【０００９】
上記した目的を達成するため、請求項１記載の用紙揃え装置は、画像形成後に後処理として係合部が形成され排出された用紙を受け入れ、前記係合部を基準に用紙を揃える用紙揃え装置において、
前記用紙の排紙位置に設けられ、前記用紙を載置する載置面を有する排紙台と、
該排紙台に設けられ、前記載置面側に突出して前記排紙される用紙の前記係合部と係合するよう、当該用紙の排紙位置に応じた受入角度の調整及び紙揃えに必要な振動周波数での振動付与が可能な整合ピンを備えた用紙整合機構と、
前記排紙される用紙を識別する用紙情報に合わせて前記整合ピンの受入角度及び振動周波数を制御する制御部と、
を備えたことを特徴とする。
【００１０】
請求項２記載の用紙揃え装置は、請求項１記載の用紙揃え装置において、前記用紙の用紙サイズ、用紙の厚さを含む用紙情報と、前記整合ピンにおける前記用紙の排紙位置に応じた受入角度及び前記振動周波数とを関連付けした状態でテーブル化された整合ピン制御テーブルを記憶する記憶部を備え、
前記制御部は、前記排紙される用紙の用紙情報と、前記記憶部に記憶された整合ピン制御テーブルとを照らし合わせ、当該排紙される用紙に応じた最適な受入角度及び振動周波数で前記整合ピンを制御することを特徴とする。
【発明の効果】
【００１１】
本発明に係る請求項１又は２記載の用紙揃え装置によれば、排紙時に用紙の係合部と整合ピンとを係合させているため、排紙される用紙を傷付けることなく係合部基準で用紙揃えを行うことができる。
【００１２】
また、使用する用紙の種類に応じて整合ピンの振動周波数や受入角度を制御しているため、用紙の種類を問わず用紙揃えを行うことができる。
【図面の簡単な説明】
【００１３】
【図１】本発明に係る用紙揃え装置の設置例を示す概略構成図である。
【図２】同装置の上面図である。
【図３】同装置の側面図である。
【図４】本発明に係る用紙揃え装置のシステム構成を示す概略ブロック図である。
【図５】同装置の角度調整手段による角度調整後の一例を示す説明図である。
【図６】（ａ）  用紙の坪量と整合ピンの振動周波数及び受入角度との関係がテーブル化された表である。  （ｂ）  用紙サイズと整合ピンの振動周波数及び受入角度との関係がテーブル化された表である。  （ｃ）  積載枚数と受入角度との関係を示す表である。
【図７】（ａ）〜（ｄ）  同装置の用紙整合動作例を示す説明図である。
【図８】用紙として特殊紙を用いた例を示す説明図である。
【発明を実施するための形態】
【００１４】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などはすべて本発明の範疇に含まれる。
【００１５】
なお、以下の説明では、画像形成後の用紙の所定箇所に形成され、用紙Ｐを整然と揃える際に後述する整合ピンと係合する係合部（穴若しくは切欠きや溝）の形状として、穴の数を２穴とし、その間隔をＪＩＳ規格（ＪＩＳ  Ｓ  ６０４１）で規定された位置に穴あけ処理した例である。
【００１６】
まず、本発明に係る用紙揃え装置の構成について、図１〜７を参照しながら説明する。  図１に示すように、本例の用紙揃え装置１は、画像形成装置２０で画像形成後の用紙Ｐに係合部Ｐａを形成する処理（以下、「穴あけ処理」という）を行う用紙後処理装置３０の排紙部分に設置されている。なお、本装置は画像形成後の用紙Ｐに穴あけ処理を施した用紙Ｐに対する紙揃えを行う装置であるため、用紙後処理装置３０の後段に限らず、穴あけ処理を行う機能を搭載した画像形成装置２０の排紙部分に設けてもよい。
【００１７】
図２〜４に示すように、本例の用紙揃え装置１は、排紙台１１と、サイドフェンス１２と、突き当てフェンス１３と、用紙整合機構１４と、記憶部１５と、制御部１６とを備えて構成されている。
【００１８】
排紙台１１は、用紙後処理装置３０における排紙部分の下方（すなわち、用紙Ｐの排紙位置）に対し、用紙Ｐを積載する載置面１１ｂが排紙方向の下流側に向かって高くなるよう傾斜して配設され、穴あけ処理され排紙された用紙Ｐを載置面１１ｂに積層載置している。また、排紙台１１の所定箇所には、整合ピン１４ａを排紙台１１の裏面側から挿通するための挿通孔１１ａが、整合ピン１４ａの突出位置に合わせて形成（本例では、整合ピン１４ａが２本のため２箇所に形成）されている。なお、挿通孔１１ａは、整合ピン１４ａの振動や角度調整の妨げとならないように整合ピン１４ａの径よりも大きく、さらにピンの回動方向を長手方向とする楕円形状を成している。さらに、排紙台１１の載置面１１ｂには、サイドフェンス１２の摺動方向を排紙方向と直交する用紙幅方向へ案内するガイド溝１１ｃが形成されている。
【００１９】
サイドフェンス１２は、用紙Ｐの両側端と当接する板状部材からなる一対の整合板１２ａで構成され、排紙台１１のガイド溝１１ｃに沿って摺動可能に立設されている。サイドフェンス１２の構成としては、各整合板１２ａと一体に設けられたラックと、ラックに噛み合うピニオンギアと、駆動源である駆動用モータと該駆動用モータの回転力を伝達する動力伝達機構からなる不図示の駆動機構とを備え、一方の整合板の摺動に伴い他方の整合板も連動して相互間隔が離間又は近接して用紙サイズに応じて自動で用紙規制位置（使用する用紙幅と略同等）まで移動する構成、印刷時に操作者が用紙サイズに応じた用紙規制位置まで手動で移動する構成の何れでもよい。
【００２０】
突き当てフェンス１３は、排紙台１１におけるに排紙方向の上流側（すなわち、画像形成装置２０側）に配置され、排紙された用紙Ｐの排紙方向後端（排紙された用紙Ｐの穴あけ処理側の端部）と接触して排紙され落下する用紙Ｐを整合ピン１４ａまで誘導している。また、用紙Ｐに係合部Ｐａが形成されていないときは、排紙された用紙Ｐの排紙方向後端と干渉して用紙Ｐの排紙方向における後端位置を規制するエンドフェンスとして機能する。
【００２１】
用紙整合機構１４は、整合ピン１４ａと、角度調整手段１４ｂと、ピン昇降手段１４ｃと、振動付与手段１４ｄとを備えて構成され、排紙される用紙Ｐを整合ピン１４ａで受け入れて整然と紙揃えしている。また、用紙整合機構１４は、振動付与手段１４ｄにより整合ピン１４ａに振動を確実に付与するため、排紙台１１に対し例えばゴムやシリコン等の弾性部材１４ｅを介在して配置されている。
【００２２】
整合ピン１４ａは、先端に向かって徐々に先細りとなるテーパ面を有しており、排紙される用紙Ｐの係合部Ｐａに挿通して排紙台１１における積載位置を規制している。整合ピン１４ａの突出位置は、当該ピンが排紙された用紙Ｐの係合部Ｐａと係合したとき、用紙Ｐの排紙方向後端と突き当てフェンス１３との間に若干の隙間（数ｍｍ程度）が空く位置である。これにより、整合ピン１４ａの振動によって振動付与された用紙Ｐが整合ピン１４ａを基準に整然と揃う。整合ピン１４ａは、通常、排紙台１１における載置面１１ｂに対して垂直に立設されており、制御部１６の制御に基づき角度調整手段１４ｂによって所定の受入角度に調整される。
【００２３】
角度調整手段１４ｂは、整合ピン１４ａの底部を回動自在に軸支し、制御部１６からの角度調整信号を入力に基づき不図示の駆動手段が駆動して排紙される用紙Ｐを受け入れるのに最適な受入角度となるよう整合ピン１４ａの角度調整を行っている。なお、図５は、使用する用紙Ｐに応じて整合ピン１４ａの角度調整後の状態を示している。また、角度調整手段１４ｂは、制御部１６からの退避制御信号を入力すると、受入角度に調整した整合ピン１４ａを待機時の状態まで戻している。
【００２４】
ピン昇降手段１４ｃは、所定方向に回転駆動する一対のローラに対し、無端状のベルトが掛け回されており、昇降用駆動手段（駆動モータ）の駆動力をローラに伝達してベルト面に設けられた角度調整手段１４ｂの昇降駆動を行っている。ピン昇降手段１４ｃは、通常、排紙台１１の裏面側にある退避位置で待機しており、制御部１６からの上昇制御信号に基づき用紙Ｐに穴あけ処理を施す印刷ジョブであったときのみ上昇駆動を行って、整合ピン１４ａを排紙台１１の載置面１１ｂ側に突出させている。また、ピン昇降手段１４ｃは、制御部１６からの退避制御信号に基づき整合ピン１４ａを退避位置まで下降させている。
【００２５】
なお、ピン昇降手段１４ｃの構成としては、排紙台１１の裏面側から載置面１１ｂに向かって延設されたレールと、該レールに沿って摺動するスライダーとからなる機構とし、スライダーに昇降用駆動手段の駆動力を伝達して昇降動作を行う構成でもよい。
【００２６】
振動付与手段１４ｄは、例えばバイブレータ等の周知の振動モータで構成され、制御部１６からの振動駆動信号に基づき所定の振動周波数で振動し、排紙された用紙Ｐの紙揃えに必要な程度の微細振動を整合ピン１４ａに付与している。また、振動付与手段１４ｄは、制御部１６からの退避制御信号を入力すると、整合ピン１４ａへの振動付与を停止する。
【００２７】
記憶部１５は、例えば磁気的、光学的記憶媒体若しくはＲＯＭ、ＲＡＭ等の半導体メモリで構成され、用紙揃え装置を駆動するのに必要な各種駆動情報を記憶している。また、記憶部１５は、画像形成装置２０からの用紙を識別するための用紙情報（用紙サイズ、用紙Ｐの厚さ、係合部Ｐａの形成位置等の排紙される用紙Ｐに関する各種情報）に基づき整合ピン１４ａの受入角度や該ピンに付与する振動の強弱を設定するための整合ピン制御テーブルを記憶している。
【００２８】
ここで、整合ピン制御テーブルについて説明すると、画像形成装置２０で使用可能な用紙Ｐのサイズ、厚さ（若しくは坪量）、係合部Ｐａの形成位置等の用紙情報に応じて用紙Ｐの排紙位置に応じた整合ピン１４ａの受入角度や整合ピン１４ａへの振動付与に必要な振動周波数が異なるため、予め実験等により求めた使用する用紙Ｐに応じて最適な条件を関連付けした状態でテーブル化されている。
【００２９】
整合ピン制御テーブルの一例としては、図６（ａ）に示すように使用する用紙Ｐの厚さによって分類され、用紙Ｐが薄紙（坪量：４２ｇ／ｍ2 ）、普通紙（坪量：５８ｇ／ｍ2 ）、厚紙（坪量：９９ｇ／ｍ2 ）におけるそれぞれの振動周波数と受入角度の関係を関連付けした状態でテーブル化して記憶している。表に示すように、坪量が大きくなるにつれて振動周波数を弱くする方が好ましい。また、図６（ｂ）に示すように使用する用紙Ｐの種類が同一の場合は用紙サイズによって分類され、例えば使用する用紙ＰのサイズがＢ５用紙、Ａ４用紙、Ａ３用紙の時、それぞれの振動周波数と受入角度の関係を関連付けした状態でテーブル化して記憶している。表に示すように、用紙サイズが大きくなるにつれて振動周波数を弱くする方が好ましい。なお、上記２種類のテーブルを組み合わせて、各用紙Ｐの種類とサイズに応じた振動周波数と受入角度とを関連付けした状態で記憶することもできる。
【００３０】
さらに、図６（ｃ）に示すように、積載枚数と受入角度との関係は、積載枚数が多くなるに連れて排紙台１１に対して垂直に近づける方が整合時間の短縮が図れ、積載枚数が少なくなるに連れて地面に対して垂直（すなわち鉛直方向）に近づける方が整合時間の短縮が図れる。なお、この実施例は、排紙台１１の角度が地面から１５度上昇した形態とし、表中の整合ピン１４ａの角度は地面に対する角度（７５度、９０度）である。
【００３１】
制御部１６は、例えばＣＰＵやＲＯＭ、ＲＡＭなどで構成された各種制御処理や演算処理を行うマイクロコンピュータであり、用紙揃え装置を構成する各部の駆動制御を行っている。
【００３２】
また、制御部１６は、画像形成装置２０から用紙情報を入力すると、用紙情報に基づく用紙Ｐの各情報と整合ピン制御テーブルとを照らし合わせて最適な条件で整合ピン１４ａの駆動制御している。すなわち、制御部１６は、画像形成装置２０からの用紙情報と記憶部１５に記憶された整合ピン制御テーブルとに基づき、排紙される用紙Ｐを整合するのに最適な振動周波数で整合ピン１４ａを振動させるための振動駆動信号を用紙整合機構１４に出力する。また、制御部１６は、画像形成装置２０からの用紙情報と記憶部１５に記憶された整合ピン制御テーブルとに基づき、排紙される用紙Ｐの排紙位置に応じた受入角度で整合ピン１４ａの角度調整を行うための角度調整信号を用紙整合機構１４に出力している。さらに、制御部１６は、印刷ジョブが終了すると、調整された受入角度を待機時の状態に戻すとともに振動を停止して退避位置まで戻すための退避制御信号を用紙整合機構１４に出力している。
【００３３】
なお、制御部１６は、画像形成装置２０からの用紙情報と整合ピン制御テーブルとを照らし合わせて、角度調整信号や振動駆動信号を出力するが、角度調整信号については角度調整が必要な場合のみ出力される。
【００３４】
また、制御部１６は、画像形成装置２０からの用紙情報を入力すると、用紙Ｐに形成される係合部Ｐａの有無に応じて用紙整合機構１４に上昇／退避制御信号を出力している。なお、制御部１６からの上昇／退避制御信号の出力タイミングとしては、印刷ジョブ開始／終了毎に出力する構成、ユーザ操作により任意に出力する構成等により整合ピン１４ａの昇降制御を行っている。
【００３５】
次に、本例の用紙揃え装置１における一連の処理動作について図７を参照しながら説明する。
【００３６】
印刷ジョブが開始されると、まず画像形成装置２０からの用紙情報に基づき、用紙後処理装置３０から排紙される用紙Ｐが穴あけ処理されているか否かを判別し、穴あけ処理された用紙Ｐが排紙される場合に、用紙整合機構１４に上昇制御信号を出力する。
【００３７】
また、画像形成装置２０からの用紙情報と記憶部１５に記憶された整合ピン制御テーブルとを照らし合わせ、排紙される用紙Ｐに応じた最適な振動周波数で整合ピン１４ａを振動させるための振動駆動信号と、用紙Ｐの排紙位置に応じた最適な受入角度に調整ピンを調整するための角度調整信号とを用紙整合機構１４に出力する。これにより、図７（ａ）に示すように排紙される用紙Ｐの排紙位置に応じた受入角度で整合ピン１４ａを突出する。
【００３８】
次に、用紙後処理装置３０から用紙Ｐが排紙されると、用紙Ｐは突き当てフェンス１３に沿って落下し、図７（ｂ）に示すように用紙Ｐの排紙位置に合わせて角度調整された整合ピン１４ａで用紙Ｐを受け入れる。このとき、振動付与手段１４ｄからの振動付与により整合ピン１４ａが振動しているため、図７（ｃ）に示すように当該ピンの先端に引っ掛かることなく用紙Ｐを載置面１１ｂまで誘導する。そして、図７（ｄ）に示すように載置面１１ｂに到達した用紙Ｐに対しさらに整合ピン１４ａの振動を付与することで、用紙Ｐの整合を行いながら用紙Ｐの積載を行う。
【００３９】
印刷ジョブが終了すると、制御部１６からの退避制御信号に基づき整合ピン１４ａへの振動付与を停止するとともに、必要に応じて調整された受入角度から待機時の状態まで戻し、退避位置まで退避する。
【００４０】
以上説明したように、上述した用紙揃え装置１は、画像形成後に後処理として整合ピン１４ａと係合する係合部Ｐａが形成された用紙Ｐを受け入れる整合ピン１４ａを排紙台１１の載置面１１ｂ上に突出させる。そして、排紙される用紙Ｐの用紙情報と、予め記憶した整合ピン制御テーブルとを照らし合わせ、排紙される用紙Ｐに応じた最適な振動周波数、受入角度となるよう整合ピン１４ａを制御して排紙される用紙Ｐを受け入れて、用紙Ｐを整然と揃えながら排紙台１１に積層載置している。
【００４１】
これにより、排紙時に用紙Ｐの係合部Ｐａと整合ピン１４ａとを係合させているため、排紙される用紙Ｐを傷付けることなく整合ピン１４ａによる係合部Ｐａでの用紙揃えを確実に行うことができる。また、使用する用紙Ｐの種類に応じて整合ピン１４ａの振動周波数や受入角度を制御しているため、用紙Ｐの種類を問わず係合部Ｐａによる用紙揃えを行うことができる。
【００４２】
ところで、上述した形態では、用紙Ｐに形成した係合部Ｐａとして穿孔した穴の数を２穴とし、その間隔をＪＩＳ規格に準ずる位置に穴あけ処理された用紙Ｐを用いた例で説明したが、これに限定されることはなく、係合部Ｐａの数及び係合部Ｐａの間隔はそれぞれ使用用途に応じてＪＩＳ規格やその他の規格に準じて綴じ穴として穴あけ処理された用紙（定型紙）や、例えば図８に示すような折り加工を施し感圧接着剤により圧着して封筒を作製するための封筒用紙等の一定の目的のために穴あけ処理や切欠き処理された用紙（特殊紙）を使用することもできる。
【００４３】
また、このような２穴以外の穴あけ処理を施した定型紙や特殊紙を用いる場合、上記構成例のような２つの整合ピン１４ａの突出位置を固定とせず、係合部Ｐａの形状やその形成位置に応じて用紙Ｐを整合するのに最適な突出位置がある場合は、その位置に合わせて整合ピン１４ａの突出位置を可変するよう制御することもできる。
【００４４】
この場合、排紙台１１に整合ピン１４ａが挿通可能なよう係合部Ｐａの形成位置に合わせて連続した挿通溝（若しくは複数の挿通孔）を形成しておき、２つの整合ピン１４ａをそれぞれ移動可能な構成とすることで、係合部Ｐａの位置に応じて最適な突出位置で整合ピン１４ａを突出制御することができる。さらに、用紙Ｐのサイズや形状、係合部Ｐａの形成位置に応じて突き当てフェンス１３の位置を整合ピン１４ａの突出位置に合わせて摺動させる構成とすることもできる。
【００４５】
さらに、上記形態において、積載枚数が多枚数の場合は、整合ピン１４ａの受入角度を積載枚数と排紙台１１への排出枚数に応じて最適な受入角度となるよう微調整する制御を行う構成とすることもできる。このように、排紙台１１に排出される用紙枚数の増加に伴い最適な受入角度に調整することで、整合時間の短縮が図れ、効率良く用紙整合を行うことができる。
【符号の説明】
【００４６】
１…紙揃え装置
１１…排紙台（１１ａ…挿通孔、１１ｂ…載置面、１１ｃ…ガイド溝）
１２…サイドフェンス（１２ａ…整合板）
１３…突き当てフェンス
１４…用紙整合機構（１４ａ…整合ピン、１４ｂ…角度調整手段、１４ｃ…ピン昇降手段、１４ｄ…振動付与手段、１４ｅ…弾性部材）
１５…記憶部
１６…制御部
２０画像形成装置
３０用紙後処理装置
Ｐ…用紙
Ｐａ…係合部
【図１】
2012131619.tif 000003
【図２】
2012131619.tif 000004
【図３】
2012131619.tif 000005
【図４】
2012131619.tif 000006
【図５】
2012131619.tif 000007
【図６】
2012131619.tif 000008
【図７】
2012131619.tif 000009
【図８】
2012131619.tif 000010